(57)【要約】  本発明は、バッテリーパックに火災が発生した場合、バッテリーパックの火災を鎮圧することができる装置に関する。本発明によるバッテリーパックの火災鎭圧装置は、バッテリーパックの火災発生如何を感知する火災感知センサ；内部空間に消火剤を貯蔵する消火剤貯蔵タンク；及び前記火災感知センサによって火災発生が感知された場合、前記消火剤貯蔵タンクの消火剤を前記バッテリーパックの内部に注入させる制御部を含む。
2014531231.tif 000002
【特許請求の範囲】
【請求項１】
バッテリーパックの火災発生如何を感知する火災感知センサ；
内部空間に消火剤を貯蔵する消火剤貯蔵タンク；及び
前記火災感知センサによって火災発生が感知された場合、前記消火剤貯蔵タンクの消火剤を前記バッテリーパックの内部に注入させる制御部；を含むことを特徴とするバッテリーパックの火災鎭圧装置。
【請求項２】
前記消火剤貯蔵タンクは、前記バッテリーパックの内部と連結されて前記消火剤を流出させる流出口、移動を通じて前記消火剤を前記流出口に流出させるピストン、及び爆発時に前記ピストンを移動させる爆薬を備え、
前記制御部は、火災発生が感知された場合、前記消火剤貯蔵タンクの爆薬を爆発させて前記ピストンを移動させることで、前記消火剤貯蔵タンクの消火剤を前記バッテリーパックの内部に注入することを特徴とする請求項１に記載のバッテリーパックの火災鎭圧装置。
【請求項３】
前記消火剤貯蔵タンクが、前記流出口を開閉する第１流出弁をさらに備えることを特徴とする請求項２に記載のバッテリーパックの火災鎭圧装置。
【請求項４】
前記第１流出弁が、前記消火剤貯蔵タンク内部の圧力が一定水準以上の場合、自動的に開放されることを特徴とする請求項３に記載のバッテリーパックの火災鎭圧装置。
【請求項５】
前記第１流出弁が、前記制御部の制御によって開放されることを特徴とする請求項３に記載のバッテリーパックの火災鎭圧装置。
【請求項６】
前記第１流出弁が、逆止め弁であることを特徴とする請求項３に記載のバッテリーパックの火災鎭圧装置。
【請求項７】
前記消火剤貯蔵タンクが、前記流出口に設けられて前記流出口を閉鎖し、前記消火剤貯蔵タンク内部の圧力が一定水準以上になる場合、前記流出口を開放するキャップをさらに備えることを特徴とする請求項２に記載のバッテリーパックの火災鎭圧装置。
【請求項８】
前記消火剤貯蔵タンクは、前記バッテリーパックの内部と連結されて前記消火剤を流出させる流出口、及び前記流出口を開閉する第２流出弁を備え、前記第２流出弁が開放されれば、前記消火剤が前記流出口を通って自動的に流出できる内部圧力で前記消火剤を貯蔵し、
前記制御部は、火災発生が感知された場合、前記第２流出弁を開放し、前記消火剤貯蔵タンクの消火剤を前記バッテリーパックの内部に注入させることを特徴とする請求項１に記載のバッテリーパックの火災鎭圧装置。
【請求項９】
前記第２流出弁が、電磁弁であることを特徴とする請求項８に記載のバッテリーパックの火災鎭圧装置。
【請求項１０】
前記火災感知センサが、温度センサ、衝撃センサ及び圧力センサのうちの１つ以上を含むことを特徴とする請求項１に記載のバッテリーパックの火災鎭圧装置。
【請求項１１】
前記バッテリーパックの少なくとも一部分に設けられ、前記バッテリーパックの内部ガスを外部に排出するガス排出部をさらに含むことを特徴とする請求項１に記載のバッテリーパックの火災鎭圧装置。
【請求項１２】
前記ガス排出部が、前記バッテリーパックの内部から外部に貫設されたガス排出口、及び前記ガス排出口を開閉するガス弁を備えることを特徴とする請求項１１に記載のバッテリーパックの火災鎭圧装置。
【請求項１３】
前記消火剤が、液体または気体状態で前記バッテリーパックの内部に注入されることを特徴とする請求項１に記載のバッテリーパックの火災鎭圧装置。
【請求項１４】
前記制御部が、前記バッテリーパックのＢＭＳによって具現されることを特徴とする請求項１に記載のバッテリーパックの火災鎭圧装置。
【請求項１５】
請求項１ないし請求項１４のうちいずれか１項に記載のバッテリーパックの火災鎭圧装置を含むバッテリーパック。
【請求項１６】
請求項１ないし請求項１４のうちいずれか１項に記載のバッテリーパックの火災鎭圧装置を含む自動車。
【発明の詳細な説明】
【技術分野】
【０００１】
本発明は、バッテリーパックを保護する技術に関し、より詳しくは、バッテリーパックに火災が発生した場合、バッテリーパックの火災を鎮圧することができる装置に関する。
【０００２】
本出願は、２０１１年９月８日出願の韓国特許出願番号第１０−２０１１−００９１３７６号及び２０１２年９月１０日出願の韓国特許出願番号第１０−２０１２−００９９７９４号に基づく優先権を主張し、該当出願の明細書及び図面に開示された内容は、すべて本出願に援用される。
【背景技術】
【０００３】
近来、ノートパソコン、ビデオカメラ、携帯電話などのような携帯用電子製品の需要が急激に伸び、エネルギー貯蔵用蓄電池、ロボット、衛星などの開発が本格化するにつれて、繰り返して充放電できる高性能二次電池に対する研究が活発に行われている。
【０００４】
現在常用化されている二次電池としては、ニッケルカドミウム電池、ニッケル水素電池、ニッケル亜鉛電池、リチウム二次電池などが挙げられるが、そのうちリチウム二次電池は、ニッケル系列の二次電池に比べてメモリー効果がほとんど起きず充放電が自由であり、自己放電率が非常に低くエネルギー密度が高いことから、脚光を浴びている。
【０００５】
また、近年、炭素エネルギーが徐々に枯渇し、且つ、環境に対する関心が高まるとともに、米国、欧州、日本、韓国を始めとして全世界的にハイブリッド自動車及び電気自動車に世間の耳目が集中している。このようなハイブリッド自動車や電気自動車の最も核心的部品は、車両モーターに駆動力を与える車両用バッテリーである。ハイブリッド自動車や電気自動車は、バッテリーの充放電を通じて車両の駆動力が得られるため、エンジンのみを用いる自動車に比べて燃費に優れ、公害物質を排出しないか又は減少できるという点から、ユーザが益々増えている。
【０００６】
一方、バッテリーに係る社会的なイシューのうちの１つが、バッテリーの安全性問題である。ノートパソコンや携帯電話のような小型装置から自動車や電力貯蔵システムのような中大型装置に至るまで、バッテリーの需要及びユーザは急増しているなか、バッテリーの爆発や火災はそれらが装着された装置の破損だけでなく、追加的な火災にまで繋がる恐れがあるということから、バッテリーの安全性確保が重要な問題として認識されている。
【０００７】
特に、ハイブリッド自動車や電気自動車などに使用される中大型バッテリーの場合、一般の携帯用電子製品などに使用される小型バッテリーより一層高い安全性が求められる。このような中大型バッテリーは、高電圧を生成するため、それ自体から多くの熱が発生する。のみならず、車両用バッテリーは、蒸し暑い夏場など高温に露出した状態でバッテリーパックが無理に動作した場合、車両の衝突のような事故により大きい衝撃がバッテリーに与えられ、保護機能が十分動作できなかったか、又は、内部短絡などが発生した場合などに、車両用バッテリーに火災が発生する恐れがある。
【０００８】
このように車両用バッテリーに火災が発生すれば、車両用バッテリー自体の破損に止まらず、車両に火災が拡散して財産上の被害をもたらすことは勿論、車両に乗った搭乗者の安全に大きい危険をもたらすこともあり得る。さらに、道路上の車両火災は他の車両にまで拡散し、交通障害を誘発することもあり得るため、さらに深刻な被害をもたらす恐れがある。
【発明の概要】
【発明が解決しようとする課題】
【０００９】
本発明は、上記問題点に鑑みてなされたものであり、バッテリーパックに火災が発生したか又は火災発生の危険が感知される場合、火災を速かに鎮圧することができる装置を提供することを目的とする。
【００１０】
本発明の他の目的及び長所は、下記する説明によって理解でき、本発明の実施例によってより明らかに分かるであろう。また、本発明の目的及び長所は、特許請求の範囲に示される手段及びその組合せによって実現することができる。
【課題を解決するための手段】
【００１１】
上記の課題を達成するため、本発明によるバッテリーパックの火災鎭圧装置は、バッテリーパックの火災発生如何を感知する火災感知センサ；内部空間に消火剤を貯蔵する消火剤貯蔵タンク；及び前記火災感知センサによって火災発生が感知された場合、前記消火剤貯蔵タンクの消火剤を前記バッテリーパックの内部に注入させる制御部を含む。
【００１２】
望ましくは、前記消火剤貯蔵タンクは、前記バッテリーパックの内部と連結されて前記消火剤を流出させる流出口、移動を通じて前記消火剤を前記流出口に流出させるピストン、及び爆発時に前記ピストンを移動させる爆薬を備え、前記制御部は、火災発生が感知された場合、前記消火剤貯蔵タンクの爆薬を爆発させて前記ピストンを移動させることで、前記消火剤貯蔵タンクの消火剤を前記バッテリーパックの内部に注入させる。
【００１３】
このとき、前記消火剤貯蔵タンクは、前記流出口を開閉する第１流出弁をさらに備えることができる。
【発明の効果】
【００１４】
本発明によれば、バッテリーパックに火災が発生した場合、火災を速かに鎮圧することができる。また、本発明の一実施例によれば、バッテリーパックに火災発生の危険、すなわち火災が発生する蓋然性がある場合、それを予測して火災発生及び拡散を防止することができる。
【００１５】
したがって、本発明によれば、バッテリーパックの火災を早期に鎮圧でき、バッテリーパックが装着された装置や装備に火災が拡散することを防止することで、バッテリーパックの火災による財産及び人命の被害を防止または減少させることができる。
【００１６】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００１７】
【図１】本発明の望ましい一実施例によるバッテリーパックの火災鎭圧装置の構成を概略的に示した図である。
【図２】図１のバッテリーパックの火災鎭圧装置において、消火剤がバッテリーパックの内部に注入される構成を概略的に示した図である。
【図３】本発明の他の実施例によるバッテリーパックの火災鎭圧装置の構成を概略的に示した図である。
【図４】図３のバッテリーパックの火災鎭圧装置において、消火剤がバッテリーパックの内部に注入される構成を概略的に示した図である。
【発明を実施するための形態】
【００１８】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００１９】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２０】
図１は、本発明の望ましい一実施例によるバッテリーパックの火災鎭圧装置の構成を概略的に示した図である。図１に示されたように、通常バッテリーパック１０は１つ以上のバッテリーセル１１を含むことができる。また、本発明のバッテリーパックの火災鎭圧装置は、このようなバッテリーパック１０に火災が発生した場合、火災を鎮圧することができる装置である。
【００２１】
図１を参照すれば、本発明によるバッテリーパックの火災鎭圧装置は、火災感知センサ１００、消火剤貯蔵タンク２００及び制御部３００を含む。
【００２２】
前記火災感知センサ１００は、バッテリーパック１０の火災発生如何を感知する。ここで、バッテリーパック１０の火災発生如何とは、バッテリーパック１０に実際に火災が発生したか否かは勿論、バッテリーパック１０に火災が発生する前であっても火災が発生する危険があるのか否かをも含む。
【００２３】
望ましくは、前記火災感知センサ１００は、温度センサ、衝撃センサ及び圧力センサのうちの１つ以上を含んで具現することができる。
【００２４】
まず、バッテリーパック１０に火災が発生すれば、火災によってバッテリーパック１０の温度が高くなるため、前記火災感知センサ１００は温度センサで具現され得る。この場合、前記温度センサは、バッテリーパック１０に対して一定水準以上の温度が感知されるのか否かを判別することで、バッテリーパック１０の火災発生如何を感知することができる。
【００２５】
また、バッテリーパック１０に強い衝撃が加えられれば、内部短絡などによってバッテリーパック１０に火災が発生する危険があるため、前記火災感知センサ１００は衝撃センサで具現され得る。この場合、前記衝撃センサは、バッテリーパック１０に対して一定水準以上の衝撃が感知されるのか否かを判別することで、バッテリーパック１０の火災発生危険の有無を感知することができる。
【００２６】
また、バッテリーパック１０に高い圧力が加えられる場合にも、バッテリーパック１０に火災が発生する危険があるため、前記火災感知センサ１００は圧力センサで具現され得る。この場合、前記圧力センサは、バッテリーパック１０に対して一定水準以上の圧力が感知されるのか否かを判別することで、バッテリーパック１０の火災発生危険の有無を感知することができる。
【００２７】
このとき、前記温度センサ、衝撃センサまたは圧力センサが火災発生如何を感知するために基準になる温度、衝撃量または圧力などに対する情報は、該当火災感知センサ１００または他の保存装置に予め保存され得る。
【００２８】
一方、図面には前記火災感知センサ１００がバッテリーパック１０に取り付けられていることが示されているが、これは一例に過ぎず、火災感知センサ１００が必ずバッテリーパック１０に取り付けられた形態で構成されなければならないことはなく、バッテリーパック１０と分離して構成することもできることは勿論である。
【００２９】
また、前記火災感知センサ１００は、温度センサ、衝撃センサ及び圧力センサの外にも多様な形態で具現することができる。例えば、前記火災感知センサ１００は煙を感知する煙感知センサで具現され得る。
【００３０】
前記消火剤貯蔵タンク２００は、内部に所定空間が形成され、該内部空間に消火剤２０１を貯蔵する。
【００３１】
ここで、消火剤２０１は、火災を鎮圧できる物質及び形態であれば良く、本発明がこのような消火剤２０１の特定種類や形態などによって制限されることはない。例えば、前記消火剤２０１は、水や水に消火物質を溶解させた溶液など、不燃性または難燃性溶液であり得る。
【００３２】
また、前記消火剤２０１は２つ以上の物質を含むことができる。この場合、２つ以上の物質はそれぞれ存在するときに消火性を有する物質であっても良く、相互反応で消火性を有する物質であっても良い。例えば、前記消火剤２０１は、重炭酸ナトリウムと硫酸アルミニウムを含むことができ、これらは化学反応を通じて泡を発生させて火災を鎮圧することができる。
【００３３】
外にも、本発明の出願時点に公知された多様な消火物質が本発明の消火剤２０１として使用され得る。また、前記消火剤２０１は、消火剤貯蔵タンク２００に液体、気体または粉末状態で貯蔵され得る。また、このような消火剤２０１は液体、気体または粉末状態でバッテリーパック１０の内部に注入され得る。
【００３４】
前記制御部３００は、火災感知センサ１００によって火災発生が感知された場合、消火剤貯蔵タンク２００の消火剤２０１をバッテリーパック１０の内部に注入させる。すなわち、バッテリーパック１０に火災が発生したか又は火災発生の蓋然性がある場合、火災感知センサ１００がこのような火災発生または火災発生の危険を感知し、該情報を制御部３００に伝送すれば、制御部３００は消火剤貯蔵タンク２００の内部に貯蔵されている消火剤２０１をバッテリーパック１０の内部に注入させる。
【００３５】
このような制御部３００は、バッテリーパック１０にＢＭＳ（Ｂａｔｔｅｒｙ Ｍａｎａｇｅｍｅｎｔ Ｓｙｓｔｅｍ）が存在する場合は、ＢＭＳによって具現され得る。ここで、ＢＭＳとは、バッテリーセル１１に連結され、バッテリーパック１０の充放電動作を全般的に制御するバッテリー管理装置を意味する。ただし、本発明がこのような制御部３００の実施形態によって限定されることはなく、制御部３００をＢＭＳと別に構成し得ることは勿論である。
【００３６】
望ましくは、図１に示されたように、前記消火剤貯蔵タンク２００は、流出口２１０、ピストン２２０及び爆薬２３０を備えることができる。
【００３７】
ここで、消火剤貯蔵タンク２００の流出口２１０は、バッテリーパック１０内部と連結され、消火剤貯蔵タンク２００内部の消火剤２０１がバッテリーパック１０の内部に注入される経路を提供する。
【００３８】
前記ピストン２２０は、消火剤貯蔵タンク２００内で移動可能に備えられ、移動を通じて消火剤貯蔵タンク２００内部の消火剤２０１が流出口２１０を通って流出し、バッテリーパック１０の内部に注入されるようにする。
【００３９】
また、前記爆薬２３０は、このようなピストン２２０が移動運動するための駆動力を提供する。すなわち、爆薬２３０が爆発したときの爆発力によってピストン２２０が移動でき、そのために、爆薬は爆発力がピストン２２０に伝達され得る位置に備えられる。
【００４０】
一方、本実施例の場合、爆薬２３０の爆発は制御部３００によって制御することができる。すなわち、前記制御部３００は、火災発生が感知された場合、消火剤貯蔵タンク２００の爆薬２３０を爆発させてピストン２２０を移動させることで、消火剤貯蔵タンク２００の消火剤２０１がバッテリーパック１０の内部に注入されるようにする。このような実施例によるバッテリーパック１０内部への消火剤２０１の注入構成については、図２を参照してより詳しく説明する。
【００４１】
図２は、図１のバッテリーパックの火災鎭圧装置において、消火剤２０１がバッテリーパック１０の内部に注入される構成を概略的に示した図である。
【００４２】
図２を参照すれば、バッテリーパック１０に火災が発生した場合、火災感知センサ１００によって火災が感知され、火災感知センサ１００はこのような火災感知信号を制御部３００に伝送する。このような信号を受信した制御部３００は、消火剤貯蔵タンク２００の爆薬２３０を爆発させる。爆薬２３０が爆発すれば、爆発時に発生する爆発力によってピストン２２０が移動するようになるが、このようなピストン２２０の移動により、消火剤貯蔵タンク２００内部の消火剤２０１が流出口２１０を通って流出し、バッテリーパック１０の内部に注入される。したがって、バッテリーパック１０の内部に注入された消火剤２０１によってバッテリーパック１０で発生した火災を鎮圧することができる。
【００４３】
特に、本実施例によれば、爆薬２３０の爆発力によるピストン２２０の移動を通じて消火剤２０１がバッテリーパック１０の内部に注入されるため、消火剤２０１の注入速度が非常に速い。したがって、バッテリーパック１０に火災が発生しても初期に速かに鎮圧できるため、火災が拡散することを防止し、それによる人命及び財産被害を予防することができる。
【００４４】
望ましくは、図１及び図２に示されたように、前記消火剤貯蔵タンク２００は第１流出弁２４０をさらに備えることができる。ここで、前記第１流出弁２４０は、消火剤貯蔵タンク２００の流出口２１０に設けられ、流出口２１０を開閉する役割をする。すなわち、図１に示されたように、普段は第１流出弁２４０が閉まっていて、消火剤貯蔵タンク２００の消火剤２０１が流出口２１０から流出されないようにし、バッテリーパック１０に火災が発生した場合は、図２に示されたように、第１流出弁２４０が開放され、消火剤貯蔵タンク２００の消火剤２０１が流出口２１０を通ってバッテリーパック１０の内部に注入される経路を提供する。
【００４５】
このような第１流出弁２４０は、制御部３００の制御によって開放され得る。例えば、火災感知センサ１００から火災感知信号を受信すれば、制御部３００は第１流出弁２４０が開放されるように制御する。それと同時に又はその後に、制御部３００は爆薬２３０を爆発させることで、ピストン２２０の移動を通じて消火剤２０１がバッテリーパック１０の内部に注入されるようにする。
【００４６】
または、第１流出弁２４０は、消火剤貯蔵タンク２００内部の圧力が一定水準以上である場合、自動的に開放され得る。すなわち、第１流出弁２４０は制御部３００を含めた他の構成要素の制御によって開放されるものではなく、消火剤貯蔵タンク２００内部の圧力が一定水準以上に高くなる場合、開放され得る。このような実施例によれば、普段は第１流出弁２４０が閉まっており、バッテリーパック１０に火災が発生して制御部３００によって爆薬２３０が爆発すれば、ピストン２２０の移動により消火剤貯蔵タンク２００内部の圧力が高くなって、消火剤貯蔵タンク２００の内部圧力増加によって第１流出弁２４０が自動的に開放される。それにより、消火剤２０１がバッテリーパック１０の内部に注入される経路が開放されるようになる。
【００４７】
一方、前記第１流出弁２４０は、逆止め弁であり得る。このように、第１流出弁２４０が逆止め弁で具現される場合、消火剤２０１は流出口２１０を通って消火剤貯蔵タンク２００からバッテリーパック１０の方向のみに移動でき、バッテリーパック１０から消火剤貯蔵タンク２００の方向に逆流することが防止される。ただし、本発明はこのような第１流出弁２４０の種類によって制限されず、第１流出弁２４０は多様な弁で具現され得る。
【００４８】
また望ましくは、前記消火剤貯蔵タンク２００は、前記流出口２１０にキャップ２５０をさらに備えることができる。このようなキャップ２５０は、普段は図１に示されたように、流出口２１０を閉鎖して消火剤貯蔵タンク２００内部の消火剤２０１が流出口２１０から流出されないようにし、爆薬２３０の爆発により消火剤貯蔵タンク２００内部の圧力が一定水準以上になれば、図２に示されたように、流出口２１０を開放する。このとき、流出口２１０の開放はキャップ２５０の破壊や流出口２１０からの分離などによって行われ得る。
【００４９】
図３は、本発明の他の実施例によるバッテリーパックの火災鎭圧装置の構成を概略的に示した図である。
【００５０】
図３を参照すれば、図１と同様に、バッテリーパックの火災鎭圧装置は、火災感知センサ１００、消火剤貯蔵タンク２００及び制御部３００を含む。以下では、図１及び図２の実施例における説明が同一または類似に適用される部分に対しては詳細な説明を省略し、異なる部分を主に説明する。
【００５１】
図３に示されたように、消火剤貯蔵タンク２００は、バッテリーパック１０内部と連結され、消火剤２０１を流出させる流出口２１０；及び流出口２１０を開閉する第２流出弁２６０を備えることができる。このとき、前記消火剤貯蔵タンク２００は、内部空間に消火剤２０１を高圧で圧縮して貯蔵することができる。すなわち、消火剤貯蔵タンク２００は高圧タンクであって、高い内部圧力で消火剤２０１を貯蔵し、第２流出弁２６０が開放されれば、消火剤貯蔵タンク２００内部の高い圧力によって消火剤２０１が自動的に流出されるようにする。したがって、前記消火剤貯蔵タンク２００は、第２流出弁２６０が開放されれば消火剤２０１が流出口２１０を通って自動的に流出できる程度の内部圧力で消火剤２０１を圧縮貯蔵すれば良い。
【００５２】
本実施例において、前記制御部３００は火災発生が感知された場合、第２流出弁２６０を開放する。すると、消火剤貯蔵タンク２００内部の高圧によって消火剤２０１が自動的に流出し、バッテリーパック１０の内部に注入されることで、バッテリーパック１０の火災を鎮圧することができる。
【００５３】
ここで、前記第２流出弁２６０は電磁弁（ｓｏｌｅｎｏｉｄ ｖａｌｖｅ）であり得るが、本発明が第２流出弁２６０の特定種類によって制限されることはない。
【００５４】
図４は、図３のバッテリーパックの火災鎭圧装置において、消火剤２０１がバッテリーパック１０の内部に注入される構成を概略的に示した図である。
【００５５】
図４を参照すれば、バッテリーパック１０に火災が発生した場合、火災感知センサ１００によって火災が感知され、火災感知センサ１００は火災感知信号を制御部３００に伝送する。制御部３００は、火災感知信号を受信すれば直ちに、消火剤貯蔵タンク２００の第２流出弁２６０を開放する。すると、消火剤貯蔵タンク２００内部の高い圧力によって内部の消火剤２０１が流出口２１０を通って流出し、バッテリーパック１０の内部に注入されるようになる。
【００５６】
望ましくは、本発明によるバッテリーパックの火災鎭圧装置は、図１ないし図４に示されたように、ガス排出部４００をさらに備えることができる。
【００５７】
前記ガス排出部４００は、バッテリーパック１０の少なくとも一部分に設けられ、バッテリーパック１０の内部ガスを外部に排出させる役割をする。このとき、前記ガス排出部４００は、バッテリーパック１０の内部から外部に貫設されたガス排出口４１０、及びこのようなガス排出口４１０を開閉するガス弁４２０から形成され得る。ここで、バッテリーパック１０の内部ガスとは、バッテリーパック１０の火災によって発生したガス、又は、バッテリーパック１０の充放電過程で発生したガスであり得る。
【００５８】
もし、バッテリーパック１０の内部空間が多くのガスで満たされていれば、このようなガスによって消火剤２０１がバッテリーパック１０の内部に円滑に流入されないこともあり得る。しかし、本実施例によれば、バッテリーパック１０の火災発生時、ガス排出部４００によってバッテリーパック１０の内部ガスが外部に排出されるため、火災を鎮圧するための消火剤２０１がバッテリーパック１０の内部に流入され易くなる。さらに、バッテリーパック１０の内部がガスで完全に満たされれば、このようなガスの圧力によってバッテリーパック１０が爆発する恐れがあるが、本実施例によれば、内部ガスが外部に速かに排出され、このようなバッテリーパック１０の爆発も防止することができる。
【００５９】
本発明によるバッテリーパック１０は、上述したバッテリーパックの火災鎭圧装置を含む。すなわち、バッテリーパック１０は、１つ以上のバッテリーセル１１、ＢＭＳのようなバッテリー管理システム及び各種バッテリーパック保護装置とともに、上述したバッテリーパックの火災鎭圧装置をバッテリーパック１０の外部または内部に備えることができる。
【００６０】
特に、本発明によるバッテリーパックの火災鎭圧装置は自動車に適用することができる。さらに、電気自動車（ＥＶ）やハイブリッド自動車（ＨＥＶ）のようにバッテリーパックを用いて駆動される自動車は、バッテリーパックの高い電圧、交通事故、多様な温度への露出などによって火災が発生し易く、火災が発生したときは、車両の損傷はもちろん搭乗者の安全も害し得る。しかし、本発明によるバッテリーパックの火災鎭圧装置が装着されれば、バッテリーパックに火災が発生しても速かに鎮圧できるため、このような被害の発生又は拡散を防止することができる。
【００６１】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【００６２】
一方、本明細書において、「制御部」、「ガス排出部」などのように「部」という用語を使用したが、これは論理的な構成単位を表すものであって、必ず物理的に分離される構成要素を表すものではないことは本発明が属する技術分野の当業者にとって自明であろう。
【符号の説明】
【００６３】
１０  バッテリーパック
１１  バッテリーセル
１００  火災感知センサ
２００  消火剤貯蔵タンク
２０１  消火剤
２１０  流出口
２２０  ピストン
２３０  爆薬
２４０  第１流出弁
２５０  キャップ
２６０  第２流出弁
３００  制御部
４００  ガス排出部
４１０  ガス排出口
４２０  ガス弁
【図１】
2014531231.tif 000003
【図２】
2014531231.tif 000004
【図３】
2014531231.tif 000005
【図４】
2014531231.tif 000006
【国際調査報告】
2014531231.tif 000007
2014531231.tif 000008
2014531231.tif 000009
2014531231.tif 000010